(57)【要約】【課題】構造柱に穴を開けず、取り付け作業が少人数でも容易である化粧柱の固定構造を提供する。【解決手段】内部に主空洞部９５を有する化粧柱を２等分割した２分割柱体１１を、取り付け金具３１を用いて構造柱９１を挟んで取り付ける固定構造であって、２分割柱体１１には、主空洞部９５に面し、その外部表面を取り付け金具３１に当接させて２分割柱体１１を位置決めする柱体側突起部１２と、取り付け金具３１の一部を収容可能である副空洞部９７とが設けられ、取り付け金具３１は、柱体側突起部１２の外部表面が当接されることで２分割柱体１１を位置決めする位置決め突起部４１を有する２個の主取り付け金具３１と、柱体側突起部１２の側面を押圧した状態で位置決め突起部４１との間で固定することで２分割柱体１１を固定する副取り付け金具７１とから構成される。【選択図】図２
2010106532.tif 000002
【特許請求の範囲】
【請求項１】
建造物に用いられて内部に主空洞部を有する化粧柱を２等分割した２分割柱体を、取り付け金具を用いて建造物の構造柱を挟んで取り付ける固定構造であって、
前記２分割柱体には、
前記主空洞部に面し、その外部表面を前記取り付け金具に当接させることで前記２分割柱体を位置決めできる少なくとも１個の柱体側突起部と、
前記取り付け金具の少なくとも一部を収容可能である副空洞部と
が設けられ、
前記取り付け金具は、
前記２分割柱体の前記柱体側突起部の外部表面が当接されることで前記２分割柱体を位置決めする位置決め突起部を有する２個の主取り付け金具と、
前記柱体側突起部の側面を押圧した状態で前記位置決め突起部との間で固定することで前記２分割柱体を固定する副取り付け金具と
から構成されることを特徴とする化粧柱の固定構造。
【請求項２】
前記副取り付け金具は、前記各２分割柱体の対向する分割端面の隙間から挿入可能であり、前記柱体側突起部の側面を固定する
ことを特徴とする請求項１に記載の化粧柱の固定構造。
【請求項３】
前記副取り付け金具は、前記柱体側突起部を挟んだ状態で前記副空洞部で前記主取り付け金具と固定される
ことを特徴とする請求項２に記載の化粧柱の固定構造。
【請求項４】
前記副取り付け金具は、前記各２分割柱体の対向する分割端面の隙間から挿入可能なネジにより、前記主取り付け金具にビス止めされる
ことを特徴とする請求項２又は３に記載の化粧柱の固定構造。
【請求項５】
前記副取り付け金具は、前記副空洞部で、分割端面の隙間に挿入する方向に垂直な平面において、挿入時の向きを９０度回転させてから前記主取り付け金具に固定される
ことを特徴とする請求項２乃至４の何れかに記載の化粧柱の固定構造。
【請求項６】
前記柱体側突起部は、前記構造柱との間の内面側であって、前記２分割することにより形成された分割端面の近傍に形成される
ことを特徴とする請求項２乃至５の何れかにに記載の化粧柱の固定構造。
【請求項７】
前記副空洞部は、前記柱体側突起部と前記分割端面との間に形成される
ことを特徴とする請求項２乃至６の何れかにに記載の化粧柱の固定構造。
【請求項８】
前記主取り付け金具の位置決め突起部は、少なくとも前記柱体側突起部の側面が当接することで位置決めされる横側位置決め突起部を含む
ことを特徴とする請求項１乃至７の何れかに記載の化粧柱の固定構造。
【請求項９】
前記主取り付け金具の横側位置決め突起部は、少なくとも前記柱体側突起部の挿入方向に垂直な方向に弾性を有する
ことを特徴とする請求項１乃至８の何れかに記載の化粧柱の固定構造。
【請求項１０】
前記主取り付け金具の位置決め突起部は、前記柱体側突起部の先端が当接することで位置決めされる奥側位置決め突起部を含む
ことを特徴とする請求項１乃至９の何れかに記載の化粧柱の固定構造。
【請求項１１】
前記２個の主取り付け金具は、建造物の構造柱を挟んで固定可能である同形状に形成される
ことを特徴とする請求項１乃至１０の何れかに記載の化粧柱の固定構造。
【請求項１２】
前記主取り付け金具は、押し出し成型により形成される
ことを特徴とする請求項１乃至１１の何れかに記載の化粧柱の固定構造。
【発明の詳細な説明】
【技術分野】
【０００１】
本発明は、建造物に用いられる化粧柱の固定構造に関し、特に、内部に空洞部を有して２分割された化粧柱を、建造物の構造柱に取り付け金具を用いて取り付ける固定構造に関する。
【背景技術】
【０００２】
従来の２分割された化粧柱は、建造物の構造柱に、長い寸法のドリルビス又はタッピングネジ等を用いて固定されていた。しかし、この方法は、化粧柱に穴をあけるため外観性を大きく低下させることから、構造柱に取り付け金具を固定し、さらにその取り付け金具に２分割された化粧柱を固定する方法が用いられるようになった。
【０００３】
例えば、予め２分割された化粧柱の各々の内側に取り付け金具を接着等により取り付けておく。一方、構造柱の周囲にも取り付け金具を取り付けておく。そして、まず、２分割化粧柱の一方の取り付け金具を構造柱側の取り付け金具にネジでビス止めする。その後、残りの２分割化粧柱の取り付け金具を先に固定された分割部の取り付け金具にビス止めする方法が知られている。（例えば、特許文献１参照）。
【０００４】
また、例えば、予め２分割化粧柱の各々の内側に突出する突起部を設けておく。一方、構造柱の周囲に取り付けられる取り付け金具には、化粧柱側の突起部が嵌め込まれる取り付け部を設けておく。取り付け部は弾性的に突起部を保持することができ、化粧柱の突起部を取り付け金具側の取り付け部に挿入して取り付ける方法が知られている。（例えば、特許文献２参照）。
【特許文献１】特開平５−２４８０５８号公報
【特許文献２】特開２０００−１６０８０８号公報
【発明の開示】
【発明が解決しようとする課題】
【０００５】
しかしながら、特許文献１の方法は、金具を化粧柱の内側に接着等により取り付けることは技術的に困難であり、ネジ等でビス止めすることも化粧柱の材質の強度等により困難であった。また、構造柱側に取り付けられた金具のビス穴と、重量物である２分割化粧柱の内側に取り付けられた金具のビス穴とを、２分割化粧柱の重量を支えながら位置合わせしてビス止めする作業も、１人又は２人等の少人数では困難であった。さらに、一方の２分割化粧柱を構造柱側の金具に固定した後に、やはり重量物である他方の２分割化粧柱の金具のビス穴を、すでに固定された２分割化粧柱の金具のビス穴とを、重量を支えながら位置合わせしてビス止めすることも少人数では困難であった。また、この方法はビス止め等の工数が多く、取り付けや取り外しに時間が多く必要であった。
【０００６】
また、特許文献２の弾性的に突起部を保持する方法は、重量物である化粧柱を金具の弾性のみで仮に固定するものであり、恒久的に固定するものではない。恒久的に固定するには、建築材用の接着剤、又は、従来のドリルビス等を用いたビス止め等を用いて固定する必要があった。しかし、接着剤を用いた場合には、やり直しができず、後で取り外しをすることはできない。又、タッピングネジ等を用いると、構造柱に穴をあけるため外観性を大きく低下させる可能性があった。
【０００７】
そこで本発明は、上記の課題を解決するために、構造柱に穴を開けず、位置合わせを含む取り付け作業及び取り外し作業が少人数でも容易であり、コストの増加を抑制した化粧柱の固定構造を提供することを目的とする。
【課題を解決するための手段】
【０００８】
上記課題を解決するために、本発明の請求項１に係る化粧柱の固定構造は、建造物に用いられて内部に主空洞部を有する化粧柱を２等分割した２分割柱体を、取り付け金具を用いて建造物の構造柱を挟んで取り付ける固定構造であって、２分割柱体には、主空洞部に面し、その外部表面を前記取り付け金具に当接させることで２分割柱体を位置決めできる少なくとも１個の柱体側突起部と、取り付け金具の少なくとも一部を収容可能である副空洞部とが設けられ、取り付け金具は、２分割柱体の柱体側突起部の外部表面が当接されることで２分割柱体を位置決めする位置決め突起部を有する２個の主取り付け金具と、柱体側突起部の側面を押圧した状態で位置決め突起部との間で固定することで２分割柱体を固定する副取り付け金具とから構成されることを特徴とする。
請求項１の本発明によれば、２分割柱体の主取り付け金具への位置決め及び仮固定を少人数でも容易にでき、さらに、副取り付け金具を用いて柱体側突起部を押圧固定することで恒久的な固定も容易にでき、取り外しも容易にできる。
【０００９】
好ましくは、請求項２に係る本発明のように、副取り付け金具は、各２分割柱体の対向する分割端面の隙間から挿入可能であり、柱体側突起部の側面を固定するようにしてもよい。本実施態様では、副取り付け金具を用いた化粧柱の恒久的な固定及び取り外しを少人数でも容易にできる。
【００１０】
好ましくは、請求項３に係る本発明のように、副取り付け金具は、柱体側突起部を挟んだ状態で副空洞部で主取り付け金具と固定されるようにしてもよい。本実施態様では、本実施態様では、副取り付け金具を用いた化粧柱の恒久的な固定及び取り外しを少人数でも容易にできる。
【００１１】
好ましくは、請求項４に係る本発明のように、副取り付け金具は、各２分割柱体の対向する分割端面の隙間から挿入可能なネジにより、主取り付け金具にビス止めされるようにしてもよい。本実施態様では、副取り付け金具を用いるので、分割端面の隙間から容易にビス止め及び取り外しをすることができる。
【００１２】
好ましくは、請求項５に係る本発明のように、副取り付け金具は、副空洞部で、分割端面の隙間に挿入する方向に垂直な平面において、挿入時の向きを９０度回転させてから主取り付け金具に固定されるようにしてもよい。本実施態様では、副取り付け金具を副空洞部で挿入時の向きから９０度回転させてビス止めするだけで、容易に化粧柱の恒久的な固定ができる。
【００１３】
好ましくは、請求項６に係る本発明のように、柱体側突起部は、構造柱との間の内面側であって、２分割することにより形成された分割端面の近傍に形成されるようにしてもよい。本実施態様では、柱体側突起部が分割端面に近いことから、副取り付け金具等で柱体側突起部を容易に固定することができる。
【００１４】
好ましくは、請求項７に係る本発明のように、副空洞部は、柱体側突起部と分割端面との間に形成されるようにしてもよい。本実施態様では、副取り付け金具の設置が容易であり、容易に柱体側突起部を固定することができる。
【００１５】
好ましくは、請求項８に係る本発明のように、主取り付け金具の位置決め突起部は、少なくとも柱体側突起部の側面が当接することで位置決めされる横側位置決め突起部を含むようにしてもよい。本実施態様では、柱体側突起部が側面方向に移動しないように位置決め及び仮固定することができ、取り付け作業を少人数でも容易にできる。
【００１６】
好ましくは、請求項９に係る本発明のように、主取り付け金具の横側位置決め突起部は、少なくとも柱体側突起部の挿入方向に垂直な方向に弾性を有するようにしてもよい。本実施態様では、主取り付け金具の弾性により、容易に柱体側突起部が側面方向に移動しないように位置決め及び仮固定することができ、取り付け作業を少人数でも容易にできる。
【００１７】
好ましくは、請求項１０に係る本発明のように、主取り付け金具の位置決め突起部は、柱体側突起部の先端が当接することで位置決めされる奥側位置決め突起部を含むようにしてもよい。本実施態様では、柱体側突起部が奥側方向に移動しないように位置決め及び仮固定することができ、取り付け作業を少人数でも容易にできる。
【００１８】
好ましくは、請求項１１に係る本発明のように、２個の主取り付け金具は、建造物の構造柱を挟んで固定可能である同形状に形成されるようにしてもよい。本実施態様では、２個の主取り付け金具が同形状であるので、製造コストおよび部品点数を減少させることができる。
【００１９】
好ましくは、請求項１２に係る本発明のように、主取り付け金具は、押し出し成型により形成されるようにしてもよい。本実施態様では、押し出し成型により形成することで、製造を容易にして製造コストを低減させることができる。
【発明の効果】
【００２０】
本発明の化粧柱の固定構造によれば、構造柱に穴を開けず、位置合わせを含む取り付け作業及び取り外し作業が少人数でも容易であり、材料及び工数コストの増加が少ない化粧柱の固定構造を提供できる。
【発明を実施するための最良の形態】
【００２１】
以下、本発明の化粧柱の固定構造の実施の形態について、以下に図面を用いながら詳細に説明する。
【００２２】
＜第１実施形態＞
図１（ａ）は、化粧柱の一例として、家屋の玄関ポーチ柱に化粧柱を設けた場合を示す斜視図である。図１（ｂ）は本発明の第１実施形態の化粧柱の縦断面図と横断面図である。上部の縦断面図のＡ−Ａ線の横断面図が下部に示され、その横断面図のＢ−Ｂ断面が上部の図となる。図２は、図１（ｂ）の横断面図の拡大図及びそれに関係する主取り付け金具３１の側面図と副取り付け金具の上面図である。
【００２３】
化粧柱１は、例えば、見た目の安定感を高め、又は、柱の見栄えを良くする等の理由から、実際に構造体の加重を支持する構造柱より大きい断面でその周囲に追加され、その外周面に装飾用の化粧仕上げ等が施された柱である。尚、玄関ポーチとは、一般的に玄関扉前の庇（ひさし）の下で、アプローチ部分から数段程度の段差で高くなったスペースのことである。化粧柱１は、玄関ポーチの基礎部分の上部と、庇の下部部分を垂直に結んで設けられる。又、化粧柱１は、その他にベランダ等にも使用される場合がある。
【００２４】
２分割柱体１１は、上記したような住宅等の建造物に用いられる化粧柱が縦に２等分割されたものであり、セメント系押出成形体からなる。当該２分割柱体１１の内部は建造物の構造柱９１を包含できるように空洞（主空洞部９５）が形成されている。構造柱９１を挟んで対向して取り付けられる２分割柱体１１は、設置時に対向する端面同士の間に、後述する副取り付け金具と取り付けビスを挿入できるように隙間を形成できるように形成される。
【００２５】
柱体側突起部１２は、２分割柱体１１の主空洞部９５側（内部側）に設けられ、その主空洞部９５内の構造柱９１との間で、構造柱９１との接触を避ける位置に１個以上形成される。又、柱体側突起部１２の表面形状は、主取り付け金具３１の位置決め突起部４１に当接させることで２分割柱体１１を位置決めすることができるように、位置決め突起部４１の表面形状に合わせて形成される。本実施形態の柱体側突起部１２は、２分割柱体１１において化粧柱を２分割することにより形成された分割端面１３の近傍に形成される。この柱体側突起部１２が分割端面１３に近いことから、分割端面１３の隙間から挿入した副取り付け金具７１等で柱体側突起部１２を容易に固定することができる。
【００２６】
分割端面１３は、２分割柱体１１の縦割りされた分断面であり、２個の２分割柱体１１の各分割端面１３は、後述する副取り付け金具７１の挿入と固定が可能な隙間を挟んで、対向して配置される。分割端面１３の隙間は、通常、コーキング剤等が穴埋め用に充填されるか、乾式目地材で隠される。コーキング剤等は凝固する際に被接着面の接着作用を有しているので、接着剤とも考えられる。つまり、分割端面１３の隙間は、接着剤により充填される。この接着剤は、分割端面１３の隙間から内側の副空洞部９７にも入って、内部の副取り付け金具７１と柱体側突起部１２を接着する。乾式目地材の場合は、化粧柱の取り外し又は交換が容易である。
【００２７】
主取り付け金具３１は、建造物の構造柱９１を挟んで一カ所につき２個用いて、２分割柱体１１を固定可能であるように形成されている。主取り付け金具３１は、構造柱９１の上下２カ所を含む複数箇所に取り付けられる。主取り付け金具３１を設置する間隔は、構造柱９１の上下方向に、例えば、７００ｍｍ毎等の等間隔としてもよい。主取り付け金具３１は、２分割柱体１１を位置決めする位置決め突起部４１を有している。２個の主取り付け金具３１は、建造物の構造柱９１を挟んで固定可能であるように同形状に形成される主取り付け金具３１の第一横側位置決め突起部５１と第二横側位置決め突起部６１は、少なくとも柱体側突起部１２の挿入方向に垂直な方向に弾性を有する。主取り付け金具３１は、アルミニウム等の押し出し成型により形成される。主取り付け金具３１は、押し出し成型により形成することで、製造を容易にして製造コストを低減させることができ、２個の主取り付け金具３１が同形状であるので、製造コストおよび部品点数を減少させることができる。
【００２８】
主取り付け金具固定用ネジ穴３２は、構造柱９１を挟んで対向して取り付けられる２個の主取り付け金具３１を、主取り付け金具固定用ネジ８２で取り付けるための穴である。尚、主取り付け金具固定用ネジ８２がドリルネジ又はタッピングネジ等のようにネジ穴を開けて溝を切りながら締め付けするタイプの場合は、予め主取り付け金具固定用ネジ穴３２を設ける必要はなく、主取り付け金具３１をネジ止めする時に形成される。又、主取り付け金具固定用ネジ８２がネジ溝を切りながら締め付けするタイプでない場合には、予め主取り付け金具固定用ネジ穴３２の内側にネジ溝を形成しておく。又、主取り付け金具固定用ネジ８２としてボルトをナットと共に使用する場合には、予め主取り付け金具固定用ネジ穴３２の内側にネジ溝を形成しておく必要はなはなく単なる円形の開口でよい。
【００２９】
副取り付け金具固定用ネジ穴３３は、柱体側突起部１２を挟んで取り付けられる副取り付け金具７１を、副取り付け金具固定用ネジ８１で取り付けるための穴である。尚、副取り付け金具固定用ネジ８１がドリルネジ又はタッピングネジ等のようにネジ穴を開けて溝を切りながら締め付けするタイプの場合は、主取り付け金具固定用ネジ穴３２の場合と同様に、予め副取り付け金具固定用ネジ穴３３を設ける必要はなく、副取り付け金具７１をネジ止めする時に形成される。又、副取り付け金具固定用ネジ８１がネジ溝を切りながら締め付けするタイプでない場合には、予め副取り付け金具固定用ネジ穴３３の内側にネジ溝を形成しておく。又、副取り付け金具固定用ネジ８１としてボルトをナットと共に使用する場合には、予め副取り付け金具固定用ネジ穴３３の内側にネジ溝を形成しておく必要はなく単なる円形の開口でよい。
【００３０】
位置決め突起部４１は、主取り付け金具３１の外側表面から突出して、柱体側突起部１２を位置決めすると共に仮固定する突起部である。位置決め突起部４１は、２分割柱体１１の柱体側突起部１２の外部表面が当接されることで２分割柱体１１を位置決めする。位置決め突起部４１には、柱体側突起部１２の側面が当接することで位置決めされる第一横側位置決め突起部５１、第二横側位置決め突起部６１と、柱体側突起部１２の先端が当接することで位置決めされる第一奥側位置決め突起部５３、第二奥側位置決め突起部６３を含んでいる。
【００３１】
第一横側位置決め突起部５１には、柱体側突起部１２の側面が第一柱体側突起押圧部５２で当接して、柱体側突起部１２の横側の位置を決定する。第一横側位置決め突起部５１は、柱体側突起部１２の挿入方向に垂直な方向に弾性を有しているので、柱体側突起部１２を仮固定することができる。つまり、この主取り付け金具３１における第一横側位置決め突起部５１は、その配置と形状及び弾性により、柱体側突起部１２が側面方向に移動しないように位置決め及び仮固定することができ、取り付け作業を少人数でも容易にすることができる。
【００３２】
第一柱体側突起押圧部５２は、柱体側突起部１２の側面を押圧するために、第一横側位置決め突起部５１の側面よりも、柱体側突起部１２の側に突出している。柱体側突起部１２の側面に第一柱体側突起押圧部５２の形状に対応した凹部を設けた場合、第一柱体側突起押圧部５２はその凹部に嵌り込むので、より強固に柱体側突起部１２を仮固定することができる。
【００３３】
第一奥側位置決め突起部５３には、柱体側突起部１２の先端面の少なくとも一部が当接して、柱体側突起部１２の奥側の位置を決定する。つまり、第一奥側位置決め突起部５３により、柱体側突起部１２が奥側方向に移動しないように位置決め及び仮固定することができ、取り付け作業を少人数でも容易にできる。そして、第一横側位置決め突起部５１、及び、第一柱体側突起押圧部５２の作用と合わせて第一奥側位置決め突起部５３の作用により、柱体側突起部１２の横側と奥側の位置が決定する。このように１個の位置決め突起部４１により、２個の２分割柱体１１のうちの一方を位置決めして仮固定できる。
【００３４】
第二横側位置決め突起部６１は、基本的に第一横側位置決め突起部５１と同様な作用と効果の突起部である。具体的には、第二横側位置決め突起部６１には、柱体側突起部１２の側面が第二柱体側突起押圧部６２で当接して、柱体側突起部１２の横側の位置を決定する。第二横側位置決め突起部６１は、柱体側突起部１２の挿入方向に垂直な方向に弾性を有しているので、柱体側突起部１２を仮固定することができる。
【００３５】
第二柱体側突起押圧部６２は、基本的に第一柱体側突起押圧部５２と同様な作用と効果の押圧部である。具体的には、柱体側突起部１２の側面を押圧するために、第二横側位置決め突起部６１の側面よりも、柱体側突起部１２の側に突出している。柱体側突起部１２の側面に第二柱体側突起押圧部６２の形状に対応した凹部を設けた場合、第二柱体側突起押圧部６２はその凹部に嵌り込むので、より強固に柱体側突起部１２を仮固定することができる。
【００３６】
第二奥側位置決め突起部６３は、基本的に第一奥側位置決め突起部５３と同様な作用と効果の突起部である。具体的には、第二奥側位置決め突起部６３には、柱体側突起部１２の先端面の少なくとも一部が当接して、柱体側突起部１２の奥側の位置を決定する。第二横側位置決め突起部６１、及び、第二柱体側突起押圧部６２の作用と合わせて第二奥側位置決め突起部６３の作用により、柱体側突起部１２の横側と奥側の位置が決定する。これにより、２個の２分割柱体１１のうちの他方が、位置決めされて仮固定される。
【００３７】
副取り付け金具７１は、各２分割柱体１１の対向する分割端面１３の隙間から挿入可能な寸法の短辺を有する。そのため、分割端面１３の隙間から挿入された副取り付け金具７１を、柱体側突起部１２の側面を押圧した状態で位置決め突起部４１との間で固定することで２分割柱体１１を固定することができる。副取り付け金具７１は、柱体側突起部１２を挟んだ状態で、副空洞部９７で、各２分割柱体１１の対向する分割端面１３の隙間から挿入した副取り付け金具固定用ネジ８１により、主取り付け金具３１とビス止めされて固定される。又、副取り付け金具７１は、副空洞部９７で、分割端面１３の隙間に挿入する方向に垂直な平面において、挿入時の向きを９０度回転させてから主取り付け金具３１に固定される。この副取り付け金具７１を用いることで、分割端面１３の隙間から容易にビス止め及び取り外しをすることができる。このように副取り付け金具７１の設置は容易であり、副取り付け金具７１を副空洞部９７で挿入時の向きから９０度回転させてビス止めするだけで、容易に柱体側突起部１２を固定することができ、その結果、容易に化粧柱を恒久的に固定できる。また、この副取り付け金具７１を用いた化粧柱の恒久的な固定及び取り外しは、少人数でも容易に実施することができる。
【００３８】
第三柱体側突起押圧部７２は、基本的に第一柱体側突起押圧部５２又は第二柱体側突起押圧部６２と同様な作用と効果の突起部である。具体的には、柱体側突起部１２の側面を押圧するために、副取り付け金具７１の側面よりも、柱体側突起部１２の側に突出している。柱体側突起部１２の側面に第三柱体側突起押圧部７２の形状に対応した凹部を設けた場合、第三柱体側突起押圧部７２はその凹部に嵌り込むので、より強固に柱体側突起部１２を仮固定することができる。
【００３９】
副取り付け金具固定用ネジ通過部７３は、副取り付け金具７１を位置決め突起部４１に固定する副取り付け金具固定用ネジ８１が通過するネジ穴である。副取り付け金具固定用ネジ通過部７３は、図示した丸穴形状に限らず、片側オープンのスリット開口形状や楕円穴形状等でも良い。
【００４０】
副取り付け金具固定用ネジ８１は、柱体側突起部１２を挟んで取り付けられる副取り付け金具７１を、位置決め突起部４１に取り付けるためのネジである。副取り付け金具固定用ネジ８１は、ドリルネジ又はタッピングネジ等のようにネジ穴を開けて溝を切りながら締め付けするタイプ、ネジ溝を切りながら締め付けしない通常タイプ、ボルトとナットのタイプ等の様々なタイプを使用することができる。又、副取り付け金具固定用ネジ穴３３は、上記したようにネジのタイプに合わせて形成される。
【００４１】
主取り付け金具固定用ネジ８２は、構造柱９１を挟んで対向して配置される２個の主取り付け金具３１を、構造柱９１に取り付けるためのネジである。主取り付け金具固定用ネジ８２も、ドリルネジ又はタッピングネジ等のようにネジ穴を開けて溝を切りながら締め付けするタイプ、ネジ溝を切りながら締め付けしない通常タイプ、ボルトとナットのタイプ等の様々なタイプを使用することができる。又、主取り付け金具固定用ネジ穴３２は、上記したようにネジのタイプに合わせて形成される。
【００４２】
構造柱９１は、例えば、軽量鉄骨住宅の角柱、又は、木造住宅の角柱等であり、実際に住宅の屋根等の構造体の加重を支持するには十分な強度を有しており、又、比較的重量が重い２分割柱体１１を周囲に固定するための十分な強度を有している。
【００４３】
主空洞部９５は、２分割柱体１１の内部側に形成される空洞であり、構造柱９１及び主取り付け金具３１の主要部分等を収容する。
【００４４】
副空洞部９７は、柱体側突起部１２と分割端面１３との間に形成された空洞部である。又、副空洞部９７は、主空洞部９５の分割端面１３側の一部が、柱体側突起部１２により区切られた空洞部と定義することも可能である。副空洞部９７には、少なくとも副取り付け金具７１の一部を収容可能である。又、分割端面１３の隙間に接着剤が充填される場合には、副空洞部９７にも接着剤が入り込み、副取り付け金具７１と柱体側突起部１２を接着する。
【００４５】
以上の本実施形態の化粧柱の固定構造の構成を用いて２分割柱体１１は、構造柱９１に以下のように取り付けられる。
（１ａ）構造柱９１の複数箇所（７００ｍｍ毎等の等間隔）に、構造柱９１を挟み込むようにして各箇所毎に２個の主取り付け金具３１を、主取り付け金具固定用ネジ８２を用いて固定する。
（２ａ）予め副取り付け金具７１が、副取り付け金具固定用ネジ８１を用いて主取り付け金具３１の位置決め突起部４１に取り付けられている場合、その副取り付け金具固定用ネジ８１を緩めておく。
２分割柱体１１の柱体側突起部１２の内側側面を、主取り付け金具３１の位置決め突起部４１内における第一横側位置決め突起部５１及び第二横側位置決め突起部６１の外側側面に位置を合わせて、第一奥側位置決め突起部５３と第二奥側位置決め突起部６３で止まるまで押し込み、仮固定する。この処理を、構造柱９１を挟み込むようにして複数箇所（例えば７００ｍｍ毎等の等間隔）の両側に取り付けられた全ての主取り付け金具３１について実施する。
（３ａ）構造柱９１を挟み込んで仮固定された２個の２分割柱体１１の各分割端面１３間の隙間から操作して、副空洞部９７内で副取り付け金具７１の長辺が隙間と直交するように９０度回転させる。そして、その位置の副取り付け金具７１を、副取り付け金具固定用ネジ８１を締め付けて、主取り付け金具３１の位置決め突起部４１に固定する。これにより、柱体側突起部１２が、主取り付け金具３１の位置決め突起部４１における第一横側位置決め突起部５１及び第二横側位置決め突起部６１と、副取り付け金具７１との間に挟まれて固定される。この処理も、構造柱９１を挟み込むようにして複数箇所（例えば７００ｍｍ毎等の等間隔）の両側に取り付けられた全ての主取り付け金具３１について実施する。
【００４６】
上記した（２ａ）の作業における「柱体側突起部１２と、第一横側位置決め突起部５１及び第二横側位置決め突起部６１との位置合わせ」をする処理は、従来の金具のビス穴同士を位置あわせする処理と比較して容易であり、２分割柱体１１を持ち上げることが可能であれば一人でも作業することができる。その後の処理も、２分割柱体１１はすでに仮固定されているため一人でも作業が可能である。尚、２個の２分割柱体１１の各分割端面１３間の隙間をコーキング剤等で埋めるか、乾式目地材で隠す処理は、必要に応じて最後に実施すればよい。尚、分割端面１３の隙間をコーキング剤等で接着する場合、副空洞部９７に入った接着剤が副取り付け金具７１と柱体側突起部１２を接着するので、より強固に固定することができる。
【００４７】
このように本実施形態の化粧柱の固定構造によれば、構造柱に穴を開けないで、２分割柱体（１１）の主取り付け金具３１への位置決め及び仮固定を含む取り付け作業及び取り外し作業を少人数でも容易に実施することができる。さらに、副取り付け金具７１を用いて柱体側突起部１２を押圧固定することで恒久的な固定も容易にでき、取り外しも容易にできる。又、２個の主取り付け金具３１は、同一形状でアルミ押し出し成形等により製造可能であるので、材料及び工数コストの増加を少なくすることができる。
【００４８】
＜第２実施形態＞
図３は、本発明の第２実施形態の化粧柱の横断面図及びそれに関係する取り付け金具の側面図と副取り付け金具の三面図である。
【００４９】
本実施形態の第１実施形態との主な相違点は以下の各点であり、相違点以外の構成、作用、及び効果は第１実施形態と同様である。
２分割柱体１１１では、一方側の分割端面が分割されて分割端面１５と分割断面１７となっており、さらに分割端面１５と分割断面１７の間に段差１６が設けられている。これにより、結果的に分割端面１５側が突出して第二の柱体側突起部１４が形成されている。他方側の分割端面１８は、第１実施形態の分割断面１３と同様に段差がない平面である。
【００５０】
副取り付け金具２０１は、各２分割柱体１１１の対向する分割端面１５＋分割断面１７と分割端面１８の隙間から挿入可能な寸法の短辺を有する。そのため、分割端面１５＋分割断面１７と分割端面１８の隙間から挿入された副取り付け金具２０１を用いて、第二柱体側突起部１４の側面を、柱体側突起押圧部２０２で押圧した状態で、構造柱９１を挟んで反対側の横側位置決め突起部１７１との間で固定することで、２分割柱体１１１を固定することができる。又、副取り付け金具２０１は、分割端面１５及び１７と対向する分割断面１８との隙間で、第二柱体側突起部１４を挟んだ状態で、当該隙間から挿入した副取り付け金具固定用ネジ８１により固定部２０３が位置決め突起部１４１に固定される。
【００５１】
又、奥側位置決め突起部２０４は、第二柱体側突起部１４の先端面が当接して、第二柱体側突起部１４の奥側の位置を決定する。副取り付け金具２０１は、副空洞部９７内で、その取り付け面２０３が、主取り付け金具１３１の横側位置決め突起部１５１及び横側位置決め突起部１７１の共通面と重なった状態で、副取り付け金具固定用ネジ８１により固定される。
【００５２】
掛着部２０５は、横側位置決め突起部１５１に上側から引っ掛けて、落下しないように仮固定する。掛着部２０５と固定部２０３との隙間寸法は、横側位置決め突起部１５１の厚み寸法と同様か少し大き目に形成される。
【００５３】
副取り付け金具固定用ネジ通過部２０６は、副取り付け金具２０１を位置決め突起部１４１に固定する副取り付け金具固定用ネジ８１が通過する片側オープンのネジ用スリット開口である。本実施形態では、副取り付け金具固定用ネジ通過部２０６は、スリット開口形状になっている。これは、２分割柱体１１１の製造寸法精度のばらつき等により、２分割柱体１１１の一方の柱体側突起部１２を位置決め突起部１６１と横側位置決め突起部１７１により仮固定する場合、副取り付け金具２０１が他方の柱体側突起部１２側の第二柱体側突起部１４の分割端面１５と極力大きな面積で接触するためには、副取り付け金具固定用ネジ８１をスリット開口内で移動させる調整が必要になる場合があるためである。尚、副取り付け金具固定用ネジ通過部２０６は、図示したスリット開口形状に限らず、楕円穴形状等でも良く、調整不要であれば丸穴でもよい。
【００５４】
主取り付け金具１３１における位置決め突起部１４１は、横側位置決め突起部１５１及び横側位置決め突起部１７１が、一方の２分割柱体１１１の副空洞部９７まで回り込んで形成されている。横側位置決め突起部１７１と横側位置決め突起部１６１により、位置決め突起部１４１単独で、その２分割柱体１１１の柱体側突起部１２の両側面を挟んだ状態で仮固定することができる。
【００５５】
位置決め突起部１５１、位置決め突起部１６１及び位置決め突起部１７１の先端部には、各々、柱体側突起押圧部１５２、柱体側突起押圧部１６２及び柱体側突起押圧部１７２が形成されている。柱体側突起部１２の側面に各柱体側突起押圧部１５２、１６２、１７２の形状に対応した凹部を設けた場合、各柱体側突起押圧部１５２、１６２、１７２はその凹部に嵌り込むので、より強固に柱体側突起部１２を仮固定することができる。
【００５６】
これにより、副取り付け金具２０１は、副空洞部９７で、柱体側突起部１４を主取り付け金具１３１との間で固定する。
【００５７】
以上の本実施形態の化粧柱の固定構造の構成を用いて２分割柱体１１１は、構造柱９１に以下のように取り付けられる。
（１ｂ）構造柱９１の複数箇所（例えば７００ｍｍ毎等の等間隔）に、構造柱９１を挟み込むようにして各箇所毎に２個の主取り付け金具１３１を、主取り付け金具固定用ネジ８２を用いて固定する。
（２ｂ）予め副取り付け金具２０１が、副取り付け金具固定用ネジ８１を用いて主取り付け金具１３１の位置決め突起部１４１に取り付けられている場合、その副取り付け金具固定用ネジ８１を緩めておく。２分割柱体１１１の２個の柱体側突起部１２の内の一方の外側側面を、主取り付け金具１３１の位置決め突起部１４１内における第一横側位置決め突起部１５１の内側側面に位置を合わせ、２個の柱体側突起部１２の内の他方の内側側面を、主取り付け金具１３１の位置決め突起部１４１内における第二横側位置決め突起部１６１の外側側面に位置を合わせると共に、その柱体側突起部１２の内の他方の外側側面を、主取り付け金具１３１の位置決め突起部１４１内における第三横側位置決め突起部１７１の内側側面に位置を合わせ、第二奥側位置決め突起部１６３で止まるまで押し込み、仮固定する。この処理を、構造柱９１を挟み込むようにして複数箇所（例えば７００ｍｍ毎等の等間隔）の両側に取り付けられた全ての主取り付け金具１３１について実施する。
（３ｂ）構造柱９１を挟み込んで仮固定された２個の２分割柱体１１１の各分割端面１５＋１７と分割端面１８との間の隙間から操作して、柱体側突起押圧部２０２が第二の柱体側突起部１４の側面を押圧できる位置に配置する。この場合、副空洞部９７内で固定部２０３は、第一横側位置決め突起部１５１及び第三横側位置決め突起部１７１の共通側面と平行な位置に配置される。そして、その位置の副取り付け金具２０１を、副取り付け金具固定用ネジ８１を締め付けて、主取り付け金具１３１の位置決め突起部１４１（第一横側位置決め突起部１５１及び第三横側位置決め突起部１７１の共通側面）に固定する。これにより、２分割柱体１１１が、副取り付け金具２０１の柱体側突起押圧部２０２と、構造柱９１を挟んで反対側の主取り付け金具１３１の位置決め突起部１４１における第二横側位置決め突起部１７１との間に挟まれて固定される。この処理も、構造柱９１を挟み込むようにして複数箇所（７００ｍｍ毎等の等間隔）の両側に取り付けられた全ての主取り付け金具１３１について実施する。
【００５８】
上記した（２ｂ）の作業における「柱体側突起部１２と、第一横側位置決め突起部１５１、第二横側位置決め突起部１６１との位置合わせ」をする処理は、従来の金具のビス穴同士を位置あわせする処理と比較して容易であり、２分割柱体１１１を持ち上げることが可能であれば一人でも作業することができる。その後の処理も、２分割柱体１１１はすでに仮固定されているため一人でも作業が可能である。尚、２個の２分割柱体１１１の対向する分割端面１８と分割端面（１５＋１７）間の隙間をコーキング剤等で埋めるか、乾式目地材で隠す処理は、必要に応じて最後に実施すればよい。
【００５９】
このように本実施形態の化粧柱の固定構造によっても、構造柱に穴を開けないで、位置合わせを含む取り付け作業及び取り外し作業を少人数でも容易に実施することができる。又、２個の主取り付け金具１３１は、同一形状でアルミ押し出し成形等により製造可能であるので、材料及び工数コストの増加を少なくすることができる。
【００６０】
又、上記した各実施形態では、本発明の主取り付け金具を軽量鉄骨住宅の玄関ポーチの角柱の構造柱９１に用いる場合について説明したが、本発明の技術的範囲は上記した実施の形態に記載された範囲には限定されるものではなく、例えば、木造住宅の任意箇所の角柱又は形状が円形の構造柱に対しても、主取り付け金具の形状を変更することで適用することができる。
【図面の簡単な説明】
【００６１】
【図１】（ａ）は化粧柱の一例として家屋の玄関ポーチ柱に化粧柱を設けた場合を示す斜視図であり、（ｂ）は本発明の第１実施形態の化粧柱の縦断面図と横断面図である。
【図２】図１（ｂ）の横断面図の拡大図及びそれに関係する主取り付け金具３１の側面図と副取り付け金具の上面図である。
【図３】本発明の第２実施形態の化粧柱の横断面図及びそれに関係する取り付け金具の側面図と副取り付け金具の三面図である。
【符号の説明】
【００６２】
１  化粧柱、
１１、１１１  ２分割柱体、
１２  柱体側突起部、
１３、１５、１７、１８  分割端面、
１６  段差、
１４  第二柱体側突起部、
３１、１３１  主取り付け金具、
３２、１３２  主取り付け金具固定用ネジ穴、
３３、１３３  副取り付け金具固定用ネジ穴、
４１  位置決め突起部、
５１  第一横側位置決め突起部、
５２  第一柱体側突起押圧部、
５３  第一奥側位置決め突起部、
６１  第二横側位置決め突起部、
６２  第二柱体側突起押圧部、
６３  第二奥側位置決め突起部、
７１、２０１  副取り付け金具、
７３、２０６  副取り付け金具固定用ネジ通過部
８１  副取り付け金具固定用ネジ、
８２  主取り付け金具固定用ネジ、
９１  構造柱、
９５  主空洞部、
９７  副空洞部、
１４１  位置決め突起部、
１５１  横側位置決め突起部、
１５２、１６２、１７２、２０２  柱体側突起押圧部、
１６１、１７１  横側位置決め突起部、
１６３、２０４  奥側位置決め突起部、
２０３  固定部、
２０５  （横側位置決め突起部への）掛着部。
【図１】
2010106532.tif 000003
【図２】
2010106532.tif 000004
【図３】
2010106532.tif 000005